Podtech/llm-jp-corpus-v4-ja_patent huggingface dataset:
(57)【要約】【課題】従来のたこ焼き調理用コンロ本体１は、たこ焼き調理用鉄板５が複数枚並んでいるだけで、調理する時間が長く、特に冬になると最低１５分と長くなり、長くかかるならいらないと、お客様に断られる事がよくあるので、たこ焼きの調理時間を短くし、さらにおでんも売る。【解決手段】たこ焼き調理用コンロにおでん調理用なべとたこ焼き調理用鉄板を設ける、たこ焼き調理用コンロ本体１の上部に、たこ焼き調理用鉄板５と、おでん調理用なべ２を入れ替え可能に設け。たこ焼き調理用鉄板５とおでん調理用なべ２を同時に使用する、それによりたこ焼き用鉄板５が常時温まっており、たこ焼きを調理するのが早く、おでんも売れる。【選択図】図１
2005198745.tif 000002
【特許請求の範囲】
【請求項１】
複数枚の鉄板を並列にコンロの上部に並べて使用する、たこ焼き調理用コンロ本体に、一枚のたこ焼き調理用鉄板の縦横寸法と同じか、１枚のたこ焼き調理用鉄板の縦寸法を同じとし横寸法が整数倍の寸法を有するおでん調理用なべを設けて、コンロの上部に、たこ焼き調理用鉄板と入れ替え可能にしたことを特徴とする、たこ焼き調理用コンロの上部にはまる、おでん調理用なべ。
【請求項２】
前記おでん調理用なべと、前記たこ焼き調理用鉄板を、たこ焼き調理用コンロの上部に同時に使用できることを特徴とする請求項１記載のたこ焼き調理用コンロの上部にはまる、おでん調理用なべ。
【発明の詳細な説明】
【技術分野】
【０００１】
この発明は、たこ焼きを調理するときに使用する、たこ焼き調理用コンロの上部にはまるおでん調理用なべに関する。
【背景技術】
【０００２】
従来のたこ焼きを調理するときに使う、たこ焼き調理用コンロの形状は、図３に示すように、たこ焼き調理用コンロの本体１の上部に、たこ焼き以外は調理できないたこ焼き調理用鉄板５が複数枚設けられたものが一般的である。
【発明の開示】
【発明が解決しようとする課題】
【０００３】
しかしながら、以上の技術によれば、たこ焼き調理用コンロ本体１は、たこ焼きだけしか調理できないたこ焼き調理用鉄板５が複数枚並んでいるだけで、冬になると鉄板が温まりにくく、たこ焼きを調理するのが遅いと、お客様によく断られる。そこで、この発明は、常時使用してもかまわないが、おでんのうまい冬、鉄板の温まりにくい冬に、たこ焼き調理用鉄板とおでん調理用なべを同時に使用し、おでん調理用なべに常時火をかけているため、たこ焼き調理用鉄板も温まっており、たこ焼きを調理するのが早く、たこ焼きを調理するのを待つ間におでんも売れる、という一石二鳥の、おでん調理用なべを提供することを課題とする。
【課題を解決するための手段】
【０００４】
以上の課題を解決するために、第一発明は、たこ焼き調理用コンロ本体の上部に一枚のたこ焼き調理用鉄板の縦横寸法と同じか、一枚のたこ焼き調理用鉄板の縦寸法を同じとし、横寸法が整数倍の寸法を有するおでん調理用なべを設け、たこ焼き調理用鉄板と入れ替え可能にした、たこ焼き調理用コンロの上部にはまるおでん調理用なべである。  また、第二発明は、たこ焼き調理用コンロ本体の上部にたこ焼き調理用鉄板とおでん調理用なべを、同時に使用できるようにした、たこ焼き調理用コンロの上部にはまるおでん調理用なべである。
【発明の効果】
【０００５】
第一発明、または第二発明によれば、たこ焼き調理用コンロ本体の上部に、たこ焼き調理用鉄板と、おでん調理用のなべを同時に設けたので、鉄板の温まりにくい冬には、おでん調理用なべに常時火をかけているため、たこ焼き調理用鉄板も温まっており、たこ焼きを調理するのが早く、たこ焼きを調理するのを待つ間におでんを食べられるといった、一石二鳥のおでん調理用なべである。
【発明を実施するための最良の形態】
【０００６】
この発明の一実施形態を、図１に示す。たこ焼き調理用コンロ本体１の上部に、たこ焼き調理用鉄板５を、右利きなら右側に、左利きなら左側にと自由に並べ、空いている側におでん調理用なべ２を設ける。たこ焼き調理用コンロ本体１は鉄製、ステンレス製等と一般的に用いられるものを使用し、たこ焼き調理用鉄板５も一般的に用いられる鉄製や銅製等のものがよい、そしておでん調理用なべ２もステンレス製や鉄製等と、一般的に用いられるものがよい。おでん調理用なべ２をはずすときには、なべはずしフック３を使用し、なべはずしフックのもち手には木やプラスチックなど熱を通しにくい一般的に用いられるものを使用し、フックには鉄やステンレスなどの一般的に用いられる丈夫なものを使用する、おでん調理用なべのふたには、なべぶた４を使用し、なべぶた４には木などの一般的に用いられるものを使用する。
【０００７】
この実施形態によれば、おでん調理用なべ２を常時火にかけておくことで、たこ焼き調理用鉄板５が常時温まっており、したがってたこ焼きの調理が早く、たこ焼きを調理するのを待つ間に、おでんを食べられる。といった事により、たこ焼きのお店、たこ焼き居酒屋などには、かなりお得なおでん調理用なべである。
【０００８】
「他の実施形態」
図１の実施形態では、たこ焼き調理用コンロ本体１は、業務用４列並びのもので、たこ焼き調理用鉄板５が２列分で、おでん調理用なべ２が２列分だが、他の実施形態では、業務用５列並びのたこ焼き調理用コンロ本体だと、例としてたこ焼き調理用鉄板５が２列分で、おでん調理用なべ２が３列分、または、たこ焼き調理用鉄板５が３列分でおでん調理用なべ２が２列分のものでも良い。また図１は業務用の大型たこ焼き調理用コンロ本体１だが、家庭用には、小型のたこ焼き調理用コンロ丸型のもので入れ替えて使うだけのものでもよい。
【図面の簡単な説明】
【０００９】
【図１】この発明の一実施形態を示す斜視図である。
【図２】おでん調理用なべの斜視図である。
【図３】従来技術を示す斜視図である。
【符号の説明】
【００１０】
１たこ焼き調理用コンロ本体  ２おでん調理用なべ  ３なべはずしフック  ４  なべぶた  ５  たこ焼き調理用鉄板  ６  なべの縦の側面
【図１】
2005198745.tif 000003
【図２】
2005198745.tif 000004
【図３】
2005198745.tif 000005
(57)【要約】【課題】従来のサンダルの涼しさ軽快さは、サンダル本体１の上部分６の形、デザインなどで考えられており、特に暑がりの方は足の裏も涼しければとよくはだしになることが多く、足の裏と底部分４の密着度が高いため、はだしになると、汗により足の裏のにおいに悩まされる。【解決手段】サンダル本体１の涼しさ軽快さを増し、また足のにおいを解決するため図１のサンダル本体１の底部分４に空間部２を設ける、サンダル本体１の底部分４を前部４Aと後部４Bに分割し、底部分４の前部４Aの両側部の、帯状物３に設けた連結可能な手段５と、後部４Bの両側部に設けられる連結受け止め可能な手段７を連結し底部分４の前部４Aと後部４Bの間に空間部２を設ける、連結可能な手段５と連結受け止め可能な手段７をずらして連結することで底部分の長さを調節可能とする。【選択図】図１
2005198744.tif 000002
【特許請求の範囲】
【請求項１】
サンダル本体の底部分に、空間部を設けたことを特徴とするサンダル。
【請求項２】
前記サンダル本体の底部分を前部と後部に分割し、前部の両側部に先端に連結可能な手段を有する帯状物を設け、後部の両側部に前部両側部に設けた帯状物を連結受け止め可能な手段設け、前部と後部を連結し前部と後部の間に空間部を設けたことを特徴とする請求項１記載のサンダル。
【請求項３】
前記サンダル本体の底部分の、前部の両側部に設けた帯状物の先端に有する連結可能な手段と、後部の両側部に設けた連結受け止め可能な手段をずらして連結することにより、底部分の長さを調節可能にしたことを特徴とする請求項１と請求項２記載のサンダル。
【発明の詳細な説明】
【技術分野】
【０００１】
この発明は、サンダルの底部分の形状に関する。
【背景技術】
【０００２】
従来のサンダル、スッリパなどに用いる底部分４の形状は、図２に示すように空間の開いてないものが、一般的に用いられており、サンダル本体１の上部に用いられる上部分６の露出度を高めること、又デザイン、形により、軽快さ、涼しさが、求められた物である。
【発明の開示】
【発明が解決しようとする課題】
【０００３】
しかしながら以上の技術によれば、涼しさ軽快さは、足の甲の部分サンダル本体１の上部分６にだけ考えられており、特に暑がりの方は足の裏も涼しければと、よくはだしになることが多く、足の裏と底部分４の密着度が高いため、はだしになると汗により、足の裏のにおいに悩まされることが多かった。  そこでこの発明は、サンダル本体１の足底部分４に空間部を設けて、暑さやにおい、不快感の解決を課題とする。
【課題を解決するための手段】
【０００４】
以上の課題を解決するために第一発明は、サンダル本体の涼しさ軽快さを増すため、または、足の裏のにおいを解決するために足底部分に空間部を設けたサンダルである。  また、第二発明は、サンダル本体の足底部分を前部と後部に分割し、前部に設けた連結可能な手段を有する帯状物と後部の連結受け止め可能な手段を連結し、前部と後部の間に空間部を設けたサンダルである。
そして、第三発明はサンダル本体の足底部分、前部の両側部に設けた帯状物に有する連結可能な手段と、後部の両側部に設けた、連結受け止め可能な手段をずらして連結することで底部分の長さを調節可能にしたサンダルである。
【発明の効果】
【０００５】
第一発明、または第二発明、第三発明によれば、足の裏も涼しく、汗をかかず、におわなく、底部分の長さの調節ができるので、無駄な生産も少なくなる。
【発明を実施するための最良の形態】
【０００６】
この発明の一実施形態を、図１に示す。サンダル本体１の底部分４には、空間部２が設けられており、底部分４は、前部４Aと後部４Bに分割され、底部分４の前部４Aの両側部に帯状物３を設け、帯状物３の先端に連結可能な手段５を設け、底部分４の後部４Bの両側部には、前部４Aの帯状物３の先端の連結可能な手段５を受け止める、連結受け止め可能な手段７が設けられており、前部４Aと後部４Bを連結することができ、前部４Aと後部４Bの間に空間部２を設けることができる、そして底部分４の前部４Aと後部４Bの両側部に、足の甲を受け止めるサンダル本体１の上部分６が設けられてある、そして前部４Aと後部４Bの両側部の連結可能な手段５と、連結受け止め可能な手段７をずらして連結することで、底部分４の長さの調節ができる。サンダル本体１の底部分４はゴム製や革製など一般的に用いられるものを使用し、特に指定はなく、底部分４の前部４Aの両側部に設けられている帯状物３もゴム製や皮製など一般的に用いられる丈夫なものを使用し、特に指定はない、底部分４の前部４Aの、連結可能な手段５はマジックテープやマジックファスナー（登録商標）等一般的に用いられるもので使用し、特に指定はなく、後部４Bの両側部に設けられる連結受け止め可能な手段７にはマジックテープやマジックファスナー（登録商標）などを受け止めるものが使用されている。底部分４の前部４Aと後部４Bについている足の甲を受け止めるサンダル本体１の上部分６のも指定はなく、ゴム製や皮製等の一般的に用いられる丈夫なものがよい。
【０００７】
この実施形態によれば、このサンダル本体１の底部分４に空間部２を設けたことで、足裏はより涼しく、快適感、足のにおい等を解決し、さらには、底部分４の前部４Aの両側部の帯状物３に設けた連結可能な手段５と、後部４Bの両側部の連結受け止め可能な手段７をずらして連結することにより、底部分４の長さの調節ができ、多数のサイズを作る必要性がなくなり、無駄な生産、コスト等の問題も解決する。
【０００８】
「他の実施形態」
図１の実施形態では、サンダル本体１の底部分４の前部４Aと後部４Bは分割することができるが、他の実施形態では、分割するものじゃなく空間部を有するだけのものでもよい、また上部分６の形、デザインに関しては違ったものでもよい。
【図面の簡単な説明】
【０００９】
【図１】この発明の一実施形態を示す斜視図である。
【図２】従来のサンダルの一実施形態を示す斜視図である。
【符号の説明】
【００１０】
１  サンダル本体  ２  空間部  ３  帯状物  ４底部分  ５  連結可能な手段    ６上部分  ７  連結受け止め可能な手段  ４A   前部  ４B  後部
【図１】
2005198744.tif 000003
【図２】
2005198744.tif 000004
(57)【要約】【課題】キーボードによりふさがれている空間を筆記等の作業スペースとして簡便に設けることのできる機構を提供することを目的とする。【解決手段】キーボードの投影面積に近い寸法の下板１（１）の左右に取っ手（２）、奥側にキーボード押さえ（３）を設け、回転に対して負荷がかかる構造の蝶番（５）を２個用いて下板２（４）と連結した構造とする。以上を特徴とする。【選択図】  図１
2005092846.tif 000002
【特許請求の範囲】
【請求項１】
キーボードの投影面積に近い寸法の下板１（１）の左右に取っ手（２）、奥側にキーボード押さえ（３）を設け、回転に対して負荷がかかる構造の蝶番（５）を２個用いて下板２（４）と連結した構造とする。
以上の構成のキーボード倒立機
【請求項２】
防塵用のカバーを設けた請求項１のキーボード倒立機。
【発明の詳細な説明】
【技術分野】
【０００１】この発明は、デスクトップコンピューターに持ちいられるキーボードに関する発明である。
【背景技術】
【０００２】従来、デスクトップコンピューターのキーボードは事務机や専用のパソコンラックの所定の位置に設置されてもちいられていた。
【発明が解決しようとする課題】
【０００３】従来、キーボードを使用している場合、筆器具を必要とする作業が途中で生じた場合、キーボードが障害となり、ほかの場所に移動するか、ほかの狭い空間をわざわざ探して作業をすることがおおかった。
【課題を解決するための手段】
本発明は、キーボーの下に板を設けこの板を持ち上げることによりキーボードを立てかける構造とした。
【発明を実施するための最良の形態】
【０００４】蝶番でつながれた二枚の板の片方にキーボードを固定する部位や片方の板を取り扱う部位を設けた形態とした。
【実施例】
【０００５】以下に本発明の実施例に関し図をもとに説明する。
キーボードの投影面積に近い寸法の下板１（１）の左右に取っ手（２）、奥側にキーボード押さえ（３）を設け、回転に対して負荷がかかる構造の蝶番（５）を２個用いて下板２（４）と連結した構造とする。
本品を用いる場合は、キーボード（６）を下板１（１）の上におき、キーボード押さえ（３）を用いてキーボード（６）を上から押さえ、下板２（４）をモニター（７）もしくはパソコン本体（８）の下に敷き、筆記作業が必要な場合は左右の取っ手（２）を持ち上げて下板１（１）及びキーボード（６）を９０度程度反転させる、これによりいままでキーボード（６）が置かれていたスペースが空き、ここを用いて通常の手書き作業が可能となる。
この際キーボード（６）にホコリなどが着くことを防ぐために布やフイルムを下板１（１）やキーボード押さえ（３）に取り付けてちよい。また取っ手（２）は左右に移動できる形態でもよい。
【発明の効果】
【０００６】本発明は以上説明したような形態で実施され、以下に記されるような効果が有る。
（イ）下板１と下板２とが負荷のかかる蝶番で連結されているために、必ずしも９０度に立てる必要が無く、キーボードを使用しながら下の空間を使用することができる。
（ロ）本製品のほとんどの部位が既存のキーボードや本体の下に設けられるため、取り付け時の制約が少ない。
（ハ）構成する部品が少ないため、安価である。
【図面の簡単な説明】
【０００７】
【図１】本発明の斜視図である。
【図２】本発明の倒立状態の側面図である。
【図３】本発明の使用状態の斜視図である。
【符号の説明】
【０００８】１下板１
２取っ手
３キーボード押さえ
４下板２
５蝶番
６キーボード
７モニター
８パソコン本体
【図１】
2005092846.tif 000003
【図２】
2005092846.tif 000004
【図３】
2005092846.tif 000005
(57)【要約】【課題】  この発明は、カード社会を信頼と安全に満ちた、社会にする為の物である。【解決手段】  親（確認電子カード）と、子（銀行用クレジィット用その他カード）を持ち親（確認電子カード）を常に携帯する、親（確認電子カード）は常に微電子を１．５ｍほど飛ばしている為、子（銀行、クレジィット、その他カード）を使用する時は従来道理の操作にて商業法取引を行う事が出来る。親（確認電子カード）がないときは、子（銀行用クレジィット用その他カード）は、本人と確認が出来ず、機械が受付拒否をする。【選択図】  図１
2005092847.tif 000002
【特許請求の範囲】
【請求項１】
【イ】カードにＩＣ確認チップを設け、電池にて常に微電子を飛ばす装置
【ロ】確認電子カードを、親とし、銀行用、クレジィット用その他カードを、子とし、親（確認電子カード）子（銀行、クレジィット，その他カード）を二枚一組として使う。
【発明の詳細な説明】
【発明の詳細な説明】
【技術分野】
【０００１】親（確認電子カード＝ＩＣチップに個人情報、暗証番号等入力）を常に携帯し、もう一枚の用途に必要な子（銀行用、クレジィット用、その他カード）を持ち、使用時は事前に親（確認電子カード＝ＩＣチップに個人情報、暗証番号等入力）を読ませ、本人を確認し、子（銀行用、クレジィット用、その他カード）は、従来の操作にて商業法取引ができる。
【背景技術】
【０００２】
【イ】
従来の銀行用クレジィット用その他カードは用途により一枚にて用を済ます事が出来たが、操作中に暗証番号が盗まれ、又カードが盗まれると、銀行等で簡単に操作が出来たり、又カードにて商品を簡単に購入出来た。
【ロ】
従来の本人確認は暗証番号、又はサインしかなく、非常に不安であつた。
【ハ】
銀行用、クレジィット用、その他、カードは、簡単にコピーが出来た。
【発明が解決しようとする課題】
【０００３】
【イ】
子（銀行用クレジィット用その他カード）の紛失、盗難等が起きた時も、親（確認電子カード＝ＩＣチップに個人情報、暗証番号入力）が無いと、操作が出来ない。
【ロ】
一枚のカードでは、操作が出来ない為、安心、安全である。
【課題を解決するための手段】
【０００４】今その解決手段を図面を追いながら説明すれば、
【イ】
【図１】
２カードに、
【図１】
１ＩＣチップを設け、個人情報、暗証番号等を入力、電池により、カードを起点として１．５ｍ位微電子を常に飛ばす。
【ロ】
銀行、クレジィット、その他、会社は、
【図３】
確認電子カード読み取り受信機を設置し、
【図１】
親（確認電子カード＝ＩＣチップに個人情報暗証番号等入力）を読み取る。
【ハ】
【図２】
子（銀行用クレジィット用その他カード）を使用する時、
【図１】
親（確認電子カード＝ＩＣチップに個人情報暗証番号等入力）を事前に、
【図３】
確認電子カード読み取り受信機で読み取り、
【図２】
子（銀行用クレジィット用その他カード）を本人の子（銀行用クレジィット用その他カード）と確認が取れ、商業法の取引が成立する。
【発明を実施するための最良の形態】
【０００５】
【イ】
銀行クレジィットその他会社は確認電子カード読み取り受信機を設置する。
【ロ】
本発明を使用する時は、常に親（確認電子カード）を携帯する事によりカードを起点として１．５ｍ位微電子が飛び、子（銀行用クレジィット用その他カード）を使用する時は既に携帯する親（確認電子カード）から、確認微電子が、飛んでいる為、子（銀行用クレジィット用その他カード）を、使用する時は今までどうりの操作をすれば、より安全な商業法の取引が出来る。
【ハ】
本発明を用いる事によりカード社会が信頼され、安心、安全な社会になる。
【０００６】なお、本発明の実施にあたつて当たつて次の如きことができる
【イ】
確認電子カードを、携帯電話等に組み込む事も可能である。
【ロ】
ＩＣチップ以外でも記憶が出来る、ロム等色々のデジタル電子部品にて暗証記号、番号等、記憶させ代用する事も出来る。
【発明の効果】
親（確認電子カード）は、常に微電子を飛し、確認電子カード読み取り受信機器に近ずく事により常受信する。その為、子（銀行用クレジィット用その他カード）による、商業法取引をする時、子（銀行用クレジィット用その他カード）を従来通り操作をする事で安全な商業法取引が出来る、この二枚のカードを必要とするが、操作するカードは、子（銀行用クレジィット用その他カード）一枚を操作すればよい。
【図面の簡単な説明】
【図１】親（確認電子カード）
【図２】子（銀行、クレジィット、その他カード）
【図３】確認電子カード読み取り受信機
【符号の説明】
１  ＩＣ確認チップ
２  カード
３  磁気テープ
４  会社名
５  番号
６  使用者名
７  受信機本体
８  受信アンテナ
【図１】
2005092847.tif 000003
【図２】
2005092847.tif 000004
【図３】
2005092847.tif 000005
(57)【要約】【課題】リアル（紙媒体等）の広告と、バーチャル（インターネット）の広告が独立した形で存在していたことで、二つの広告媒体が相乗効果を生むということは難しかった。  特にバーチャル（インターネット）の広告は媒体の特性上、限定された地域の個々の店舗情報を探すことは困難とされていた。【解決手段】図１のようにａ．リアル（紙媒体等）とｂ．バーチャル（インターネット）の融合のための橋渡し役となる、ＣＤメディアクーポンを活用することにより、ａとｂの相乗効果で更なる店舗への集客効果をもたらす。同時にインターネットサイトのアドレスを記載した紙媒体のクーポン券も活用することにより、即時の集客効果を高め、並びにインターネットサイトへのアクセスを高めバーチャルの宣伝効果を高める。【選択図】図１
2005092844.tif 000002
【特許請求の範囲】
【請求項１】
ＣＤメディアの中に多数の店舗情報を詰め込みクーポンとして発行し、消費者に対し店頭・街頭配布する事により各店舗の宣伝、並びに集客効果を高めることを特徴とする方法。
【請求項２】
請求項１に記載の方法において前記のＣＤメディアを活用することにより、消費者はＣＤメディアをパソコンに挿入することで、紙媒体では閲覧不可能な動画などの膨大な店舗情報を閲覧できることを特徴とする方法。
【請求項３】
請求項２に記載の方法において前記のＣＤメディアを挿入したパソコンをインターネットに接続することで、前記のパソコンに映しだされた店舗情報から、ワンクリックでインターネット上に開設された各店舗のサイトにアクセスすることができ、各店舗の詳細情報を閲覧が可能となることを特徴とする方法。
【請求項４】
請求項１に記載の方法において、前記のＣＤメディアをパソコンに挿入するだけで結果のわかるゲー厶や当たりクジの機能を付け、当選者に賞品を与えることによって、ＣＤメディアの閲覧率を高めることを特徴とする方法。
【請求項５】
請求項１に記載の方法において更なる効果を生むために同時にインターネット上に開設された店舗情報サイトのアドレスを記載した紙媒体のクーポン券を店頭・街頭配布することによって、即時の集客効果を高めること、同時にインターネット上の店舗情報サイトの閲覧を促すことを特徴とする方法。
【発明の詳細な説明】
【技術分野】
【０００１】  この発明は、店舗宣伝方法に関する。
【背景技術】
【０００２】  従来の店舗宣伝方法は図２のようにａ．リアル（紙媒体等）とｂ．バーチャル（インターネット）の広告がそれぞれ独立した状態で存在していた。
【発明の開示】
【発明が解決しようとする課題】
【０００３】  しかしながら、以上の技術によれば、ａ．リアル（紙媒体等）の広告と、ｂ．バーチャル（インターネット）の広告が独立した形で存在していたことで、ａとｂの広告媒体が相乗効果を生むということは難しかった。特にｂ．バーチャル（インターネット）の広告は世界中の情報が集まっているという媒体の特性上、限定された地域の個々の店舗情報を探すことは困難とされていた。
そこで、この発明は、図１のようにａ．リアル（紙媒体等）とｂ．バーチャル（インターネット）の融合のための橋渡し役となるＣＤメディアクーポンを活用する方法を提供することを課題とする。
【課題を解決するための手段】
【０００４】  以上の課題を解決するために、第一発明は、ＣＤメディアの中に多数の店舗情報を詰め込みクーポンとして発行し、消費者に対し店頭・街頭配布する事により各店舗の宣伝、並びに集客効果を高めることを特徴とする。
また、第二発明は、前記のＣＤメディアを活用することにより、消費者はＣＤメディアをパソコンに挿入することで、紙媒体では閲覧不可能な動画などの膨大な店舗情報を閲覧できることを特徴とする。
また、第三発明は、前記のＣＤメディアを挿入したパソコンをインターネットに接続することで、前記のパソコンに映しだされた店舗情報から、ワンクリックでインターネット上に開設された各店舗のサイトにアクセスすることができ、各店舗の詳細情報を閲覧が可能となることを特徴とする。
また、第四発明は、前記のＣＤメディアにパソコンに挿入するだけで結果のわかるゲームや当たりクジの機能を付け当選者に賞品を与えることによって、ＣＤメディアの閲覧率を高めることを特徴とする。
また、第五発明は、更なる効果を生むため、同時にインターネット上に開設された店舗情報サイトのアドレスを表記した紙媒体のクーポン券を店頭・街頭配布することによって、即時の集客効果を高めること、同時にインターネット上の店舗情報サイトの閲覧を促すことを特徴とする方法である。
【発明の効果】
【０００５】  第一発明と第二発明によれば、ＣＤメディアクーポンの発行、店頭・街頭配布により、消費者は動画などの膨大な店舗情報を閲覧でき、店舗への集客を促すことになる。
そして、第三発明によれば、消費者は簡単に店舗の詳細情報をインターネットで閲覧することができる。
また、第四発明によれば、配布されたＣＤメディアの閲覧率を高めることができる。
さらに、第五発明によれば、紙媒体のクーポン券を配布することにより、即時の集客効果をもたらすことができ、同時にインターネット上の店舗情報サイトへのアクセス増加させることができる。
【発明を実施するための最良の形態】
【０００６】  この発明の一実施形態を、図１に示す。【０００７】「実施形態の効果」
この実施形態によれば、ＣＤメディアクーポンを橋渡し役としてリアルとバーチャルの広告媒体の融合による相乗効果をもたらし、店舗は更なる集客効果を得ることがことができる。【０００８】
【図面の簡単な説明】
【０００９】
【図１】  この発明によるＣＤメディアクーポンの活用によるリアルとバーチャル融合の店舗宣伝方法を図式化したものである
【図２】  従来技術の店舗宣伝方法を図式化したものである。
【符号の説明】
2005092844.tif 000003
【図１】
2005092844.tif 000004
【図２】
2005092844.tif 000005
(57)【要約】【課題】他国語外国人とのコミュニケーションが容易に行える方法を提供する。【解決手段】母国語にて書かれた定型文リストの中の番号付定型文を組み合わせ、文章を作成しその番号のみを電子メールにて送信し、受信者は同一番号の番号付定型文を受信者側の母国語にて書かれた定型文リストの中より選択し、読む事で容易にコミュニケーションをとる方法により解決する。【特許請求の範囲】
電子メール送信者は母国語にて書かれた定型文リストの中の番号付定型文を組み合わせ文章を作成し、その番号のみを電子メールにて送信し、電子メール受信者は同一番号の番号付定型文を受信者側の母国語にて書かれた定型文リストの中より選択し、読む事で他国語外国人と容易にコミュニケーションをとる方法。
【発明の詳細な説明】
【発明の詳細な説明】
【技術分野】
【０００１】本発明は、電子メールによる他国語外国人とのコミュニケーション方法に関する。
【背景技術】
【０００２】従来の電子メールによる他国語外国人とのコミュニケーション方法は、受信者側の母国語にて送信しコミュニケーションをとっている。
【発明が解決しようとする課題】
【０００３】しかしながら、従来の他国語外国人とのコミュニケーション方法では、受信者側の母国語を学習し理解しなければならないため、容易には行えない。
【課題を解決する手段】
【０００４】母国語にて書かれた定型文リストの中の番号付定型文を組み合わせ、文章を作成し、その番号のみを電子メールにて送信し、受信者は同一番号の番号付定型文を受信者側の母国語にて書かれた定型文リストの中より選択し読むことで、容易にコミュニケーションをとる方法により解決する。
【実施例】
【０００５】本発明の電子メールによる他国語外国人とのコミュニケーション方法は、母国語にて書かれた定型文リストの中の番号付定型文を組み合わせ、文章を作成し、その番号のみを電子メールにて送信し、受信者は同一番号の番号付定型文を受信者側の母国語にて書かれた定型文リストの中より選択し読む事で、容易にコミュニケーションがとれる。
【発明の効果】
【０００６】本発明は他国語外国人とのコミュニケーションが容易に行えるため、世界各国の人々との友好関係を築く上で有効である。
(57)【要約】【課題】パソコンのキーボードが机を占領し狭くなるのを解消する為に、片手で簡単に立てたり横にしたりできるキーボード置き場を提供する【解決の手段】可動プレート（１）を変形部（３）から指を入れる事により、キーボード（７）と一緒に直角付近まで持ち上げ、出っ張り（３）に引っ掛けて机を広く使えるようにした。又戻す時も可動プレート（１）を軽く手で下げれば出っ張り（３）から可動プレート（１）が外れ簡単に元に戻るようにした【選択図】  図１
2005092831.tif 000002
【特許請求の範囲】
【請求項１】
可動プレートがキーボードと一緒に動くことによってどんなパソコンでも机を広く使えるようにしたキーボード置き場
【請求項２】
固定プレート（２）に出っ張り部（３）をつける事により可動プレート（１）を簡単に固定できるようにしたキーボード置き場
【発明の詳細な説明】
【発明の詳細な説明】
【技術分野】
【０００１】この発明は机を広く使えるようにする為のキーボード置き場であり、使う人が片手で簡単に立てられるようにした物である
【背景技術】
【０００２】キーボードの裏に立てる為のスタンドを取り付ける物はあったが取付けや操作が大変だった【０００３】
【特許文献１】  登録実用新案第３００８５６５号
【発明の開示】
【発明が解決しようとする課題】
【０００４】パソコンを置くと机のスペースがなくなり、ちょっとした書き物をする時でも物をどかしたり、変な体勢で書かなげればいけなかった。又キーボードをどかすにしても、モニターや物の上に仮置きするしか机のスペースを確保する事ができず大変だった。本発明は、キーボードを簡単に立てる事により机を広く使えるように解決したものである
【課題を解決する為の手段】
【０００５】変形部（６）より指を入れ、可動プレート（１）とキーボードを一緒に動かせるようにした。その時にキーボード（７）がズレ落ちないように固定金具（５）に引っかかる設定になっていて、どんなキーボードでも対応できるようにした。直角付近まで動くと可動プレート（１）が出っ張り部（３）に引っかかるようになっていて人の力によって横にしなければ戻らないようになっている
本発明は、以上の構成により、キーボードを立てたり横にしたりして簡単に机を広く使えるようにしたキーボード置き場である
【発明を実施するための最良の形態】
【０００６】以下本発明の実施の形態について説明する。
（イ）、鉄板からなる可動プレート（１）に、指が入れられるよう変形（６）させ、Ｌ字の固定金具（５）を取り付ける。
（ロ）、鉄板からなる固定プレート（２）を２個所折り曲げ、頂点付近に出っ張り（３）をつける
（ハ）、可動プレート（１）と固定プレート（２）を蝶番（４）により取りつける
【発明の効果】
【０００７】机にパソコンを置いてもパソコン作業をしていない時は、キーボードを立てる事ができる。又使う時には簡単に横にして使える状態にできる為、机を有効的に広く使う事ができる。
【図面の簡単な説明】
【０００８】
【図１】  本発明の斜視図である
【図２】  本発明の使用状態を示す斜視図である
【図３】  本発明の使用状態を示す要部拡大正面図である
【符号の説明】
【０００９】  １、可動プレート
２、固定プレート
３、出っ張り部
４、蝶番
５、固定金具
６、変形部
７、キーボード
８、モニター
【図１】
2005092831.tif 000003
【図２】
2005092831.tif 000004
【図３】
2005092831.tif 000005
(57)【要約】【課題】  従来家系図は、一般家庭において軽視され作られている家はほとんどないでしよう。それが近年国際化がすすみ国際結婚が増加し、その家系図が要求されています。だが、家系図制作の専門制作業者もないし、その技能を養成する教育機関もないのです。  家系図制作技能者を養成して、家系図制作を普及し日本文化の保存と継承することがが課題でする【解決の手段】  家系図制作技能者養成通信教育講座を発明開講し通信で教育します。講座受講者の技能修得試験を行い、合格者には「技能認定書」と「家系図譜制作士」の称号を授与します。  このことにより「家系図譜」制作は、促進されます。なお、さらに「家系図譜制作士」の活動を支援するため、本部は情報の提供、技能の伝授、材料の提供などを行います。  この活動制度を確立し、システ厶化し組織化して課題を解決しています。高齢者最適の生き甲斐ある仕事として社会的に貢献できるものと信じています。【選択図】    図３
2005092166.tif 000002
【特許請求の範囲】
【請求項１】
家系史調査、家系史編纂技能者の養成テキストと家系図譜、親族名鑑を制作する書き込み式デザインレイアウト図表見本と教科書。パコンで図表を反復使用し必要事項を書き込み訂正削除などして制作できるソフトＣＤ教材。家系図譜、親族名鑑・実物制作用材料、ペパー材料、木製箱、製本道具セットなどにより構成した教材による通信教育講座システム。
【請求項２】
請求項１の通信教育講座を受講し修了した制作技能者は、本部承認の独立「家系図譜制作代行店」出店制度により、本部発行の制作材料その他の支援が受けられる、家系図譜制作技能養成講座と取得技能活用制度のシステム。
【請求項３】
家系図譜制作者養成通信教育の通信、修了者の技能活動支援の通信、承認制作代行店制度等の通信は、郵便、宅配、ＦＡＸ、パコン通信などを個別パスワードにより敏速な調査、制作などの交信ができるシステム。
【発明の詳細な説明】
【発明の詳細な説明】
【技術分野】
【０００１】  本発明は、家系図家系譜本を制作する技能者を養成する通信教育講座の教材構成と技能修得者の制作活動、制作代行店を支援する組織制度と方法です。
【背景技術】
【０００２】  従来、家系図譜制作技能者と言う専門家はおられず、毛筆の達者な代書屋などが制作を代行していたようです。家系図は縦の手書きで軸装本か折り本に仕立てられていました。また、本発明のような系統立てた教科書による通信教育や書き込み式デザインレイアウト図表やパコンで反復使用できる図表やソフトも有りません。
【発明が解決しようとする課題】
【０００３】  第一の課題は、従来存在しなかった家系図譜制作の技能者を通信で教育養成することです。第二の課題は、技能を修得した技術者の活動を支援して、家系図譜制作を普及し日本文化の保存と継承をすることです。
その普及活動のシステム化を行い、家系図譜制作代行店が容易に出店できる制度を確立しにし促進することです。
【課題を解決するための手段】
【０００４】  上記、第一の課題は、教育で（１）家系史調査技能（２）家系史編纂技能（３）家系図譜制作技能の教材、教科書などを作成し通信による教育を実施します。
【０００５】  なお、この通信教育の教科の（３）編には、系図制作デザインレイアウト書込図表とパソコン・ソフト・ＣＤを使用、多使用形図表七つのパターンを繰り返し使用し、図形内に確定した記入事項の書き込み、図形枠を選択し呼び込み挿入もできるので、不要な枠や罫線の無いデザイン的に優れた家系図ができます。
この教材により、通信教育で技能が容易修得でき家系図譜制作代行ができます。
【０００６】  家系図譜制作技能を修得した技能者の活動支援が第二の課題ですが、技能認定試験を行い合格者には認定書と「家系図譜制作士」の称号を、本部「通信教育実施組織団体」仮称（日本郷土史家協会）より授与し活動を支援ます。
【０００７】  「家系図譜制作士」が、家系図譜制作代行店を出店できの制度を確立して、制作代行に必要な材料と必要な技能や情報、知的財産の使用を、本部「通信教育実施組織団体」は提供して修得者の家系図譜制作普及活動を支援し促進し課題を解決します。
【発明を実施するための最良の形態】
【０００８】  発明の実施の形態については、図面を参照して説明します。
図１は、家系図譜制作技能者養成通信教育の主な教材の説明図です。
Ａは通信教育の主教材の目録で教育目的と教材の概略の説明表です。
Ｂは家系図書込式デザインレイアウト図表で、七つのパターンの中の一部です。
なお、パソコンソフトＣＤ教材で図表を反復使用することができます。
図２は、家系図譜の製本に関する説明図です。
Ａは、手書きもしくはパソコン印刷紙を頁別に「製本用カード台紙」を使用して製本する説明図です。
Ｂは、折り本形式本に仕立てる仕上げ製本の説明図です。
図３は、通信教育実施組織と受講修了者「家系図譜制作士」の組織構成説明図です。
Ａは、通信教育実施組織です。
（ａ）は通信教育部で、家系図譜制作技能者を養成するための教育活動を、
（ｂ）は受講生管理、認定試験管理や合格証の発行などを行います。
（Ｃ）は「家系図譜制作士」通信教育修了者の管理、
Ｂは、家系図譜制作技能者組織です。
（ａ）は「家系図譜制作代行店」の出店、材料支給の業務を行います。
（Ｃ）は、全国に開店した「家系図譜制作代行店」の説明図です。
【発明の効果】
【０００９】  本発明は上述の通りである。
【００１０】  本発明は、国際化がすすみ国際結婚など居住範囲が拡大した今日、家系図は人と人、親子、の繋がりを知る重要な記録書で一日も早く制作して置く必要の書です。
本発明の家系図は、国際化に対応できるヨコ書き、欧文、ローマ字かな、算用数字、漢字和文が、自由に書き込みできる系図製版レイアウトソフトウェアとして最大の効果があげられます。
【図面の簡単な説明】
【図１】家系図譜制作技能者養成通信教育の主な教材の説明図です。
【図２】家系図譜の製本に関する説明図です。
【図３】通信教育実施組織と受講修了者「家系図譜制作士」の組織構成説明図です。
【符号の説明】
図１の、Ａ．Ｂ．は通信教育の教材別
図２の、Ａ．Ｂ．は通信教育の製本種別、
図３の、Ａ．は通信教育実施団体組織（ａ）（ｂ）（Ｃ）は担当業務別
Ｂ．は受講修了者管理部組織
Ｂ．の（ａ）は「家系図譜制代行店」
【図１】
2005092166.tif 000003
【図２】
2005092166.tif 000004
【図２】
2005092166.tif 000005
【図３】
2005092166.tif 000006
【手続補正書】
【提出日】平成15年12月4日(2003.12.4)
【手続補正１】
【補正対象書類名】図面
【補正対象項目名】全図
【補正方法】変更
【補正の内容】
【図１】
2005092166.tif 000007
【図２】
2005092166.tif 000008
【図３】
2005092166.tif 000009
【図４】
2005092166.tif 000010
【図５】
2005092166.tif 000011
【図６】
2005092166.tif 000012
(57)【要約】      （修正有）【課題】自由にマーク、写真、文字を印刷することができ、臨時対応可能でリサイクルが容易にできる腕章を提供する。【解決手段】腕章１の材質を、紙や不織布などを使用し、マーク・写真４や文字５を自由に設けられるようにする。また、安全ピン孔２やヒモ孔３を設ける。【選択図】図１
2005092168.tif 000002
【特許請求の範囲】
【請求項１】
腕章（１）に、安全ピン孔（２）とヒモ孔（３）を設け、マーク・写真（４）や文字（５）をコピー機やプリンターで印刷出来る腕章
【発明の詳細な説明】
【発明の詳細な説明】
【技術分野】
【０００１】この発明は、コピー機やプリンターを使用して、紙製などにマークや写真や文字を入れる為の腕章であって、自由にマークや写真や文字が印刷できる腕章に関するものである。
【背景技術】
【０００２】従来、腕章は専門業者に作製を依頼されている。
このとき、腕章は布製やビニール製になることは知られている。
【発明が解決しようとする課題】
【０００３】腕章を使用するとき、次のような問題点があった。
腕章は、従来専門業者が作製しており、臨時の対応ができない。
しかも、処理がしにくい。
本発明は、以上の問題点を解決し、臨時の対応や処理の分別が容易にできるようになされたものである。
【課題を解決する手段】
【０００４】腕章（１）の材質に紙や不織布などを使用することで、コピー機やプリンターでマーク・写真（４）、文字（５）を印刷できるようにし臨時の対応を出来るようにしたものである。
【発明を実施するための最良の形態】
【０００５】以下、本発明の実施の形態を説明する。
（イ）紙や不織布などの生地からなる腕章（１）に、安全ピンをつける為の安全ピン孔（２）を設ける。
（ロ）腕章（１）にヒモを通すヒモ孔（３）を設ける。
（ハ）マーク・写真（４）は、自由に設ける。
（ニ）文字（５）は、自由に設ける。
本発明は、以上の構成よりなる。
本発明を使用する場合は、腕章（１）にコピー機やプリンター使用してマーク・写真（４）や文字（５）を自由に、印刷出来る。
【発明の効果】
【０００６】腕章が、紙や不織布製なので必要な時に必要枚数作成出来、しかもマーク・写真・文字が自由に印刷出来る。
また、生地を紙や不織布とすることで、リサイクルし易くしている。
【図１】
2005092168.tif 000003
【図２】
2005092168.tif 000004
【手続補正書】
【提出日】平成15年12月10日(2003.12.10)
【手続補正１】
【補正対象書類名】明細書
【補正対象項目名】全文
【補正方法】変更
【補正の内容】
【発明の詳細な説明】
【技術分野】
【０００１】この発明は、コピー機やプリンターを使用して、紙製、不織布などにマークや写真や文字を入文字を入れる為の腕章であって、自由にマークや写真や文字が印刷できる腕章に関するものである。
【背景技術】
【０００２】従来、腕章は専門業者に作製を依頼されている。
このとき、腕章は布製やビニール製になることは知られている。
【発明が解決しようとする課題】
【０００３】腕章を使用するとき、次のような問題点があった。
腕章は、従来専門業者が作製しており、臨時の対応ができない。
しかも、処理がしにくい。
本発明は、以上の問題点を解決し、臨時の対応や処理の分別が容易にできるようになされたものである。
【課題を解決する手段】
【０００４】腕章（１）の材質に紙や不織布などを使用することで、コピー機やプリンターでマーク・写真（４）、文字（５）を印刷できるようにし臨時の対応を出来るようにしたものである。
本発明は、腕章本体を紙製や不織布とすることで、臨時の対応や処理の分別が容易にできるようになされたものである。
しかも、紙製や不織布で腕章本体を作成することで、リサイクル出来るようにしたのもである。
【発明を実施するための最良の形態】
【０００５】以下、本発明の実施の形態を説明する。
（イ）紙や不織布などの生地からなる腕章（１）に、安全ピンをつける為の安全ピン孔（２）を設ける。
（ロ）腕章（１）にヒモを通すヒモ孔（３）を設ける。
（ハ）マーク・写真（４）は、自由に設ける。
（ニ）文字（５）は、自由に設ける。
本発明は、以上の構成よりなる。
本発明を使用する場合は、腕章（１）にコピー機やプリンター使用してマーク・写真（４）や文字（５）を自由に、印刷出来る。
【発明の効果】
【０００６】腕章が、紙や不織布製なので必要な時に必要枚数作成出来、しかもマーク・写真・文字が自由に印刷出来る。
また、生地を紙や不織布とすることで、リサイクルし易くしている。
【図面の簡単な説明】
【０００７】
【図１】本発明の斜視図
【図２】本発明の要部拡大の正面図
【符号の説明】
【０００８】    （１）腕章
（２）安全ピン
（３）ヒモ孔
（４）マーク・写真
（５）文字
(57)【要約】【課題】本発明は、水平に近い入射光を効率良く回帰反射させることのできる広角度性再帰反射プリズムを提供する。【解決手段】アクリルや塩化ビニール、ＰＥＴ、ポリカーボネート等の透過性樹脂シートの裏面に、底辺の短辺が２に対して長辺が４〜４．４の二等辺三角形で頂角が９０度の三角錐を多数形成する。【選択図】図２
2005092172.tif 000002
【特許請求の範囲】
【請求項１】
底辺が２対４〜４．４の二等辺三角形で頂角が９０度の三角錐をシート片面に多数形成することを特徴とした、広角度性再帰反射プリズム。
【発明の詳細な説明】
【発明の詳細な説明】
【技術分野】
【０００１】  本発明は、夜間車のライトが当たると光って見える再帰性反射材に関する。
【背景技術】
【０００２】  従来、再帰性反射材は正面から入ってくる入射光に対して光回帰率を良くなるように、底辺が正三角に近い形状の三角錐をシート片面に多数成形してある。
【発明の開示】
【発明が解決しようとする課題】
【０００３】  これらには次のような欠点があった。
（イ）三角錐を加工した面とは反対の面に対して垂直に近い角度で入ってくる入射光に対しては効率良く光回帰をするが、入射光が水平に近くなるにつれ光回帰率が低下する。
（ロ）また、使用する際に車両に対して垂直に使用する標識や、安全ベスト等には適しているが、車両に平行するガードレール等には適していない。
本発明は、これらの欠点を除くためになされたものである。
【課題を解決するための手段】
【０００７】  アクリルや塩化ビニール、ＰＥＴ、ポリカーボネート等の透過性樹脂シートの裏面に、底辺の短辺が２に対して長辺が４〜４．４の二等辺三角形で頂角が９０度の三角錐を多数形成する。
本発明は、以上のような構成よりなる広角度性再帰反射プリズムである。
【発明を実施するための最良の形態】
【０００８】  再帰性反射プリズムは三角錐の３辺に光りが順番に三回屈折して当たる事で光源方向に光りを回帰することができる。しかし、底辺が正三角形の三角錐では入射角がシートに対して狭くなると入射光は三回屈折せず回帰しないが、底辺三角錐の３つの角の１個を６０°より鋭角にすることで、入射角がシートに対して狭い入射光に対しても光回帰性能を発揮できる。また、道路使用を考えた際入射角αは１０°を想定し、入射角１０°の光りを効率的に回帰させる為には二等辺三角錐のθ角は２７°が最適である。よって、底辺の三角錐は短辺２に対して長辺が４．１４の二等辺三角錐が最適ともとめられる。
【実施例】
【０００９】  入射角αが１０°の場合、最も光を回帰をする構造は、二等辺三角錐のθ角を換えて図４〜７のように実測した。三角錐の頂角は常に９０°で入射光が３回反射すれば回帰性となる。屈折率の低いＰＭＭＡや塩ビでは、臨界角が小さいため、入射光が三角錐の面で透過して反射せず回帰しないため、ＰＭＭＡと塩ビは三角錐面にアルミを蒸着した場合で求めてある。ＰＣやＰＥＴでは臨界角が大きいため、蒸着の必要がない。図４〜７から共通的にθ＝２７°で最高の回帰反射率を示している事がわかる。そこで最適なθとして２７°を得た。また、θ角２７°の二等辺三角錐プリズムの入射光線角度を変えたときの回帰率を図８〜１１に示した。人射光線角度γは図１２のフィルムに入射する水平角である。ＰＭＭＡと塩ビでは臨界角が小さいため、三角錐面で反射しないで透過するため、面をアルミで蒸着して反射する場合を図に示した。入射光線角度が８０°に対応しているが図３のａ＝１０°に対応する。図８〜１１でどの場合も水平入射近いほど回帰性反射率が上昇し、広角度型再帰性反射材となることがわかる。ＰＥＴやＰＣ素材では蒸着は必要無いが、塩ビやＰＭＭＡでは必要である。しかし塩ビやＰＭＭＡでも蒸着しなくても８０°の入射光線角度である程度の回帰性反射率を示す。最適な素材はＰＥＴまたはＰＣで、プリズムフィルムはＰＥＴまたはＰＣを使用することが望ましい。
【発明の効果】
【００１０】  本発明の広角度性再帰反射プリズムは、入射角αが１０°の光を回帰反射できる。また、ガードレールに帯状に貼れば、ガードレールと平行して走行する車両のヘッドライトを回帰性反射させ、ライトを点灯させた車両からはガードレールが進行方向に向かって線状に光って見え、交通誘導上安全性が向上する。従来ガードレールに再帰性反射材を用いる場合は反射材を車両に対して垂直に向けなければ回帰しなかったので、垂直になるように成形品を使わなければならなかったが、本発明の広角度性再帰性反射プリズムを使用すれば成形品を使用する必要がなく貼るだけなので、コスト軽減、作業効率向上にもなる。
【図面の簡単な説明】
【００１１】
【図１】本発明が解決しようとする課題を表す図である。
【図２】本発明の形状をあらわす正面図である。
【図３】本発明の実施例を表す図である。
【図４】本発明のアルミ蒸着を施したＰＭＭＡ製二等辺三角錐の光回帰率を表す図である。
【図５】本発明のアルミ蒸着を施した塩ビ製二等辺三角錐の光回帰率を表す図である。
【図６】本発明のＰＣ製二等辺三角錐の光回帰率を表す図である。
【図７】本発明のＰＥＴ製二等辺三角錐の光回帰率を表す図である。
【図８】本発明のＰＭＭＡ製２７°型二等辺三角錐の光回帰率を表す図である。
【図９】本発明の塩ビ製２７°型二等辺三角錐の光回帰率を表す図である。
【図１０】本発明のＰＣ製２７°型二等辺三角錐の光回帰率を表す図である。
【図１１】本発明のＰＥＴ製２７°型二等辺三角錐の光回帰率を表す図である。
【符号の説明】
【００１２】  １  θ
２  γ
３  α
４  β
【図１】
2005092172.tif 000003
【図２】
2005092172.tif 000004
【図３】
2005092172.tif 000005
【図４】
2005092172.tif 000006
【図５】
2005092172.tif 000007
【図６】
2005092172.tif 000008
【図７】
2005092172.tif 000009
【図８】
2005092172.tif 000010
【図９】
2005092172.tif 000011
【図１０】
2005092172.tif 000012
【図１１】
2005092172.tif 000013